(57)【要約】【課題】電子署名の信頼度を向上させることができる端末機のセキュリティ管理装置及び方法を提供する。【解決手段】端末機のセキュリティ管理装置は、電子署名セキュリティ登録モードにおいて、電子ペンを用いて電子署名が入力される間に電子ペンからインタラプションが受信される場合に、電子ペンの入力位置の座標値をインタラプション情報として感知する制御部と、感知された入力位置を追加の電子署名情報として記憶するメモリとを有する。【選択図】図３
2014160465.tif 000002
【特許請求の範囲】
【請求項１】
端末機のセキュリティ管理装置であって、
インタラプションが受信される場合に、電子ペンの入力位置の座標値をインタラプション情報として感知する制御部と、
前記感知された入力位置を追加の電子署名情報として記憶するメモリと
を有することを特徴とする端末機のセキュリティ管理装置。
【請求項２】
前記インタラプションは、前記電子ペンに配置されたボタンのプッシュを通して発生される特定の周波数であることを特徴とする請求項１に記載の端末機のセキュリティ管理装置。
【請求項３】
前記電子ペンの入力位置の座標値は、前記電子ペンのボタンが押された状態で前記電子署名のための入力動作が開始される位置から終了する位置までの座標値を含むことを特徴とする請求項１に記載の端末機のセキュリティ管理装置。
【請求項４】
前記制御部は、電子署名セキュリティ登録モードにおいて、前記電子ペンを用いて前記電子署名のための入力動作が実行された後に、前記電子ペンのボタンを押した状態ですでに入力された電子署名の特定の位置で再入力動作が発生する場合に、前記再入力動作が発生した特定の位置に対する座標値をインタラプション情報として検出し、前記検出されたインタラプション情報を前記電子署名に関する追加の認証情報として前記電子署名情報に挿入し、前記挿入された電子署名情報を記憶することを特徴とする請求項１に記載の端末機のセキュリティ管理装置。
【請求項５】
前記制御部は、電子署名セキュリティ登録モードにおいて、前記電子ペンを用いて前記電子署名のための入力動作が実行された後に、前記電子ペンのボタンのプッシュ動作が発生する場合に、前記ボタンが押される回数、前記ボタンが押される時間、又は前記ボタンが押される回数と前記ボタンが押される時間とが組み合せられたボタンのプッシュパターンを前記インタラプション情報として検出し、前記検出されたインタラプション情報を前記電子署名に関する追加の認証情報として前記電子署名情報に挿入し、前記挿入された電子署名情報を記憶することを特徴とする請求項１に記載の端末機のセキュリティ管理装置。
【請求項６】
前記制御部は、電子署名の要請に応じて電子署名が入力される場合に、前記入力された電子署名情報を前記メモリに記憶された電子署名情報と比較し、前記入力された電子署名情報及び前記記憶された電子署名情報がインタラプション情報まですべて一致する時に、前記入力された電子署名に対する認証に成功した後に対応する機能を実行することを特徴とする請求項１に記載の端末機のセキュリティ管理装置。
【請求項７】
前記制御部は、パターンセキュリティ登録モードにおいて、電子ペンを用いて複数の地点の中で所定数の地点を接続するパターン入力動作を実行する間に、前記電子ペンのボタンが押された状態で特定の地点に対する前記パターン入力動作が実行される場合に、前記特定の地点に対する座標値をインタラプション情報として検出し、前記検出されたインタラプション情報を前記パターンに関する追加の認証情報としてパターン情報に挿入し、前記挿入されたパターン情報を記憶することを特徴とする請求項１に記載の端末機のセキュリティ管理装置。
【請求項８】
前記制御部は、パターン入力の要請に応じてパターンが入力される場合に、前記入力されたパターン情報を予め記憶されたパターン情報と比較し、前記入力されたパターン情報及び前記記憶されたパターン情報がインタラプション情報まですべて一致する時に、前記入力されたパターンに対する認証に成功した後に対応する機能を実行することを特徴とする請求項６に記載の端末機のセキュリティ管理装置。
【請求項９】
前記制御部は、パスワードセキュリティ登録モードにおいて、パスワードの入力のために電子ペンを用いてキーパッドの所定のキーを入力する間に、前記電子ペンのボタンが押された状態で特定のキーが入力される場合に、前記入力された特定のキー値をインタラプション情報として検出し、前記検出されたインタラプション情報を前記パスワードに関する追加の認証情報としてパスワード情報に挿入し、前記挿入されたパスワード情報を記憶することを特徴とする請求項１に記載の端末機のセキュリティ管理装置。
【請求項１０】
前記制御部は、パスワード入力の要請に応じてパスワードが入力される場合に、前記入力されたパスワード情報を予め記憶されたパスワード情報と比較し、前記入力されたパスワード情報及び前記記憶されたパスワード情報がインタラプション情報まですべて一致する時に、前記入力されたパスワードに対する認証に成功した後に対応する機能を実行することを特徴とする請求項８に記載の端末機のセキュリティ管理装置。
【請求項１１】
端末機のセキュリティ管理方法であって、
インタラプションが受信される場合に、電子ペンの入力位置の座標値をインタラプション情報として感知するステップと、
前記感知された入力位置を追加の電子署名情報として記憶するステップと
を有することを特徴とする端末機のセキュリティ管理方法。
【請求項１２】
前記インタラプションは、前記電子ペンに配置されたボタンのプッシュを通して発生される特定の周波数であることを特徴とする請求項１１に記載の端末機のセキュリティ管理方法。
【請求項１３】
前記電子ペンの入力位置の座標値は、前記電子ペンのボタンが押された状態で前記電子署名のための入力動作が開始される位置から終了する位置までの座標値を含むことを特徴とする請求項１１に記載の端末機のセキュリティ管理方法。
【請求項１４】
電子署名セキュリティ登録モードにおいて、前記電子ペンを用いて前記電子署名のための入力動作が実行された後に、ボタンが押された前記電子ペンを用いてすでに入力された電子署名の特定の位置で再入力動作が発生する場合に、前記再入力動作が発生した特定の位置に対する座標値をインタラプション情報として検出するステップと、
前記検出されたインタラプション情報を前記電子署名に関する追加の認証情報として前記電子署名情報に挿入し、前記挿入された電子署名情報を記憶するステップとをさらに有することを特徴とする請求項１１に記載の端末機のセキュリティ管理方法。
【請求項１５】
電子署名セキュリティ登録モードにおいて、前記電子ペンを用いて前記電子署名のための入力動作が実行された後に、前記電子ペンのボタンのプッシュ動作が発生する場合に、前記ボタンが押される回数、前記ボタンが押される時間、又は前記ボタンが押される回数と前記ボタンが押される時間とが組み合せられたボタンのプッシュパターンを前記インタラプション情報として検出するステップと、
前記検出されたインタラプション情報を前記電子署名に関する追加の認証情報として前記電子署名情報に挿入し、前記挿入された電子署名情報を記憶するステップとをさらに有することを特徴とする請求項１１に記載の端末機のセキュリティ管理方法。
【請求項１６】
電子署名の要請に応じて電子署名が入力される場合に、前記入力された電子署名情報をメモリに記憶された電子署名情報と比較するステップと、
前記入力された電子署名情報及び前記記憶された電子署名情報がインタラプション情報まですべて一致する時に、前記入力された電子署名に対する認証に成功した後に対応する機能を実行するステップとをさらに有することを特徴とする請求項１１に記載の端末機のセキュリティ管理方法。
【請求項１７】
パターンセキュリティ登録モードにおいて、電子ペンを用いて複数の地点の中で所定数の地点を接続するパターン入力動作を実行する間に、前記電子ペンのボタンが押された状態で特定の地点に対するパターン入力動作が実行される場合に、前記特定の地点に対する座標値をインタラプション情報として検出するステップと、
前記検出されたインタラプション情報を前記パターンに関する追加の認証情報としてパターン情報に挿入し、前記挿入されたパターン情報を記憶するステップとをさらに有することを特徴とする請求項１１に記載の端末機のセキュリティ管理方法。
【請求項１８】
パターン入力の要請に応じてパターンが入力される場合に、前記入力されたパターン情報を予め記憶されたパターン情報と比較するステップと、
前記入力されたパターン情報及び前記記憶されたパターン情報がインタラプション情報まですべて一致する時に、前記入力されたパターンに対する認証に成功した後に対応する機能を実行するステップとをさらに有することを特徴とする請求項１７に記載の端末機のセキュリティ管理方法。
【請求項１９】
パスワードセキュリティ登録モードにおいて、パスワードの入力のために電子ペンを用いてキーパッドの所定のキーを入力する間に、前記電子ペンのボタンが押された状態で特定のキーが入力される場合に、前記入力された特定のキー値をインタラプション情報として検出するステップと、
前記検出されたインタラプション情報を前記パスワードに関する追加の認証情報としてパスワード情報に挿入し、前記挿入されたパスワード情報を記憶するステップとをさらに有することを特徴とする請求項１１に記載の端末機のセキュリティ管理方法。
【請求項２０】
パスワード入力の要請に応じてパスワードが入力される場合に、前記入力されたパスワード情報を予め記憶されたパスワード情報と比較するステップと、
前記入力されたパスワード情報及び前記記憶されたパスワード情報がインタラプション情報まですべて一致する時に、前記入力されたパスワードに対する認証に成功した後に対応する機能を実行するステップとをさらに有することを特徴とする請求項１９に記載の端末機のセキュリティ管理方法。
【発明の詳細な説明】
【技術分野】
【０００１】
本発明は、端末機のセキュリティ管理装置及び方法に関し、特に、電子署名の信頼度を向上させることができる端末機のセキュリティ管理装置及び方法に関する。
【背景技術】
【０００２】
電子ペンを用いる電子署名は、すでにユーザ認証方法として幅広く使用されている。電子署名は、高い収集性及び一般的な使用による高い活用度にもかかわらず、変造可能性が高いので信頼度が低下する。
【０００３】
電子署名だけでなくセキュリティ機能として使用されるパターン又はパスワードもユーザの入力動作を通じて他人に容易に露出するおそれがあった。
【発明の概要】
【発明が解決しようとする課題】
【０００４】
したがって、本発明は、上述した従来技術の問題点を解決するために提案されたものであり、その目的は、電子ペンのボタンを用いてセキュリティ機能として使用される電子署名の信頼度を向上させることができる端末機のセキュリティ管理装置及び方法を提供することにある。
【０００５】
本発明の他の目的は、電子ペンのボタンを用いてセキュリティ機能として使用されるパターン又はパスワードの信頼度を向上させることができる端末機のセキュリティ管理装置及び方法を提供することにある。
【課題を解決するための手段】
【０００６】
上記のような目的を達成するために、本発明の一態様によれば、端末機のセキュリティ管理装置は、インタラプションが受信される場合に、電子ペンの入力位置の座標値をインタラプション情報として感知する制御部と、上記感知された入力位置を追加の電子署名情報として記憶するメモリとを有することを特徴とする。
【０００７】
本発明の他の態様によれば、端末機のセキュリティ管理方法は、インタラプションが受信される場合に、電子ペンの入力位置の座標値をインタラプション情報として感知するステップと、上記感知された入力位置を追加の電子署名情報として記憶するステップとを有することを特徴とする。
【発明の効果】
【０００８】
本発明は、端末機のセキュリティ管理装置及び方法を提供することにより、セキュリティ機能として使用される電子署名の信頼度を向上させ、ユーザ認証を容易にかつ安全に実行することができるという効果がある。また、セキュリティ機能として使用されるパターン又はパスワードの信頼度を向上させ、ユーザ認証を容易にかつ安全に実行することができるという効果がある。
【０００９】
本発明の実施形態の上述した及び他の様相、特徴、及び利点は、以下の添付図面が併用された後述の詳細な説明から、より一層明らかになるだろう。
【図面の簡単な説明】
【００１０】
【図１】本発明の実施形態による電子ペンを使用する端末機を示す図である。
【図２】本発明の実施形態による端末機の構成を示す図である。
【図３】本発明の第１の実施形態による端末機における電子署名登録過程を示すフローチャートである。
【図４】本発明の第２の実施形態による端末機における電子署名登録過程を示すフローチャートである。
【図５】本発明の第３の実施形態による端末機における電子署名登録過程を示すフローチャートである。
【図６】本発明の実施形態による端末機における電子署名登録動作を説明するための図である。
【図７】本発明の実施形態による端末機における電子署名認証過程を示すフローチャートである。
【図８Ａ】本発明の実施形態による端末機におけるパターン登録過程又はパスワード登録過程を示すフローチャートである。
【図８Ｂ】本発明の実施形態による端末機におけるパターン登録過程又はパスワード登録過程を示すフローチャートである。
【図９Ａ】本発明の実施形態による端末機におけるパターン登録動作又はパスワード登録動作を説明するための図である。
【図９Ｂ】本発明の実施形態による端末機におけるパターン登録動作又はパスワード登録動作を説明するための図である。
【図１０Ａ】本発明の実施形態による端末機におけるパターン認証過程又はパスワード認証過程を示すフローチャートである。
【図１０Ｂ】本発明の実施形態による端末機におけるパターン認証過程又はパスワード認証過程を示すフローチャートである。
【発明を実施するための形態】
【００１１】
以下、本発明の好適な一実施形態を添付図面を参照しつつ詳細に説明する。下記の説明において、同一の構成要素及び部分には、可能な限り同一の符号及び番号を共通して使用するものとする。また、明瞭性と簡潔性の観点から、本発明に関連した公知の機能や構成に関する具体的な説明が本発明の要旨を不明瞭にすると判断される場合には、その詳細な説明を省略する。
【００１２】
本発明の実施形態による端末機は、携帯端末機と固定端末機とを含む。用語‘携帯端末機’は、運びやすい電子機器であり、画像電話機、携帯電話、スマートフォン、ＩＭＴ−２０００（International Mobile Telecommunication 2000）端末機、広帯域符号分割多重接続（ＷＣＤＭＡ（登録商標））端末機、ＵＭＴＳ（Universal Mobile Telecommunication Service）端末機、ＰＤＡ（Personal Digital Assistant）、ＰＭＰ（Portable Multimedia Player）、ＤＭＢ（Digital Multimedia Broadcasting）端末機、電子ブック（E-Book）、携帯用コンピュータ（例えば、ノートブック、タブレットＰＣなど）、及びディジタルカメラなどを含む。固定端末機は、デスクトップパーソナルコンピュータ（ＰＣ）などを含む。
【００１３】
図１は、本発明の実施形態による電子ペンを使用する端末機を示す図である。
【００１４】
図１を参照すると、端末機１００は、着脱が可能な電子ペン２００を含み、電子ペン２００を用いて様々な入力動作又は特定の機能を実行できる。ボタン２００ａは、電子ペン２００の所定の位置に配置される。
【００１５】
動作において、端末機１００は、電子ペン２００を用いてセキュリティ機能として使用される電子署名が入力される場合に、電子署名が入力された座標値の中で電子ペン２００のボタン２００ａが押された状態で入力された座標値をインタラプション情報として検出し、この検出されたインタラプション情報を追加の電子署名情報として使用する。
【００１６】
また、端末機１００は、電子ペン２００を用いてセキュリティ機能として使用される電子署名が入力される場合に、所定の間隔で電子ペン２００のボタン２００ａのプッシュ動作に従って検出されたボタンが押される回数、又はボタンが押される時間、又はボタンが押される回数とボタンが押される時間とが組み合せられたボタンのプッシュパターンをインタラプション情報として検出し、その後に、この検出されたインタラプション情報を電子署名情報として使用する。
【００１７】
また、電子ペン２００を用いてセキュリティ機能として使用される電子署名が入力される場合に、端末機１００は、電子ペン２００のボタン２００ａが、パターン又はパスワードが入力される座標値から押される状態で入力された座標値をインタラプション情報として検出した後に、この検出されたインタラプション情報を追加の電子署名情報として使用する。
【００１８】
図２は、本発明の実施形態による端末機の構成を示す図である。
【００１９】
図２を参照すると、無線周波数（ＲＦ）部１２３は、端末機の無線通信機能を実行する。ＲＦ部１２３は、送信信号の周波数をアップコンバートし、このアップコンバートされた送信信号を増幅するＲＦ送信器と、受信信号を低雑音増幅し、低雑音増幅された受信信号の周波数をダウンコンバートするＲＦ受信器とを含む。データ処理部１２０は、この送信信号の符号化及び変調を行う送信器とこの受信信号の復調及び復号化を行う受信器とを含む。言い換えれば、データ処理部１２０は、変調器／復調器（ＭＯＤＥＭ）及び符号化器／復号化器（ＣＯＤＥＣ）で構成されることができる。ここで、コーデックは、パケットデータを処理するデータコーデックと音声のようなオーディオ信号を処理するオーディオコーデックとを含む。
【００２０】
オーディオ処理部１２５は、データ処理部１２０のオーディオコーデックから出力される受信オーディオ信号を再生し、マイクロフォンから発生する送信オーディオ信号をデータ処理部１２０のオーディオコーデックに転送する機能を実行する。
【００２１】
キー入力部１２７は、数字及び文字情報を入力するためのキー及び各種機能を設定するための機能キーを含む。
【００２２】
メモリ１３０は、プログラムメモリ及びデータメモリを含む。プログラムメモリは、端末機の一般的な動作を制御するためのプログラムを制御するプログラムを記憶する。また、電子ペン２００を用いてセキュリティ機能として使用される電子署名が入力される場合に、プログラムメモリは、電子ペン２００のボタン２００ａが電子署名が入力される座標値から押される状態で入力された座標値がインタラプション情報として検出され、この検出されたインタラプション情報が追加の電子署名情報として使用されるように制御するプログラムを記憶する。さらに、電子ペン２００を用いてセキュリティ機能として使用される電子署名が入力される場合に、プログラムメモリは、パターン又はパスワードが入力される座標値から電子ペン２００のボタン２００ａが押された状態で入力された座標値をインタラプション情報として検出した後に、この検出されたインタラプション情報を追加の電子署名情報として使用するように制御するプログラムを記憶する。また、データメモリは、プログラムを実行する間に発生されるデータを一時的に記憶する。
【００２３】
また、本発明の実施形態に従う電子署名セキュリティ登録モードにおいて、電子署名が電子ペン２００を用いて入力される場合に、メモリ１３０は、入力された電子署名イメージ、基本認証情報（例えば、電子署名が入力された座標値、特徴点、速度、及び／又は筆圧感（writing pressure feeling））及びインタラプション情報を含む電子署名情報を記憶する。この時に、インタラプション情報は、電子ペン２００のボタン２００ａが電子ペン２００を用いて入力された電子署名の座標値から押された状態で入力される座標値を示す。
【００２４】
さらに、インタラプション情報は、電子ペン２００を用いて電子署名のための入力動作が実行された後に、電子ペン２００がディスプレイ１６０から所定の間隔を保持する状態で、電子ペン２００のボタン２００ａのプッシュ動作を通して発生したボタンが押される回数、又はボタンが押される時間、又はボタンが押される回数とボタンが押される時間とを組み合せることにより発生したボタンのプッシュパターンを示す。
【００２５】
また、メモリ１３０は、本発明の実施形態に従うパターンセキュリティ登録モードにおいて、電子ペン２００を用いて複数の地点の中の所定数の地点を接続するパターン入力動作が実行される場合に、入力パターンタイプ及びインタラプション情報を含むパターン情報を記憶する。この時に、インタラプション情報は、電子ペン２００を用いて入力された所定数の地点に対する座標値の中で電子ペン２００のボタン２００ａが押された状態で入力された特定の地点に対する座標値を示す。
【００２６】
また、メモリ１３０は、本発明の実施形態に従うパスワードセキュリティ登録モードにおいて、電子ペン２００を用いてキーに対する入力動作が実行される場合に、入力されたキーに対応するパスワード及びインタラプション情報を含むパスワード情報を記憶する。この時に、インタラプション情報は、電子ペン２００を用いて入力されたキーの中で電子ペン２００のボタン２００ａが押された状態で入力されるキー値を示す。
【００２７】
制御部１１０は、端末機の全般的な動作を制御する機能を実行する。
【００２８】
本発明の第１の実施形態によると、電子署名セキュリティ登録モードにおいて、電子署名が電子ペン２００を用いて入力される間に、インタラプションが電子ペン２００から受信される場合に、制御部１１０は、インタラプションが受信される時に、電子ペン２００の入力位置に対する座標値をインタラプション情報として検出した後に、この検出されたインタラプション情報が電子署名に関する追加の認証情報としてメモリ１３０に記憶されるように制御する。
【００２９】
電子ペン２００の入力位置に対する座標値は、電子ペン２００のボタンが押された状態で電子署名のための入力動作が開始する位置から終了する位置までの座標値を含む。
【００３０】
インタラプションは、電子ペン２００に備えられたボタンを押すことにより発生する。
【００３１】
電子ペン２００に備えられたボタンが押される場合に、電子ペンは、特定の周波数を端末機に送信する。したがって、端末機の制御部１１０は、電子ペンから送信された特定の周波数、すなわち、このボタンが押されたことを通知するインタラプションを受信する。
【００３２】
結果的に、制御部１１０は、電子署名セキュリティ登録モードにおいて、電子ペン２００を用いて電子署名が入力される間に、電子ペン２００のボタン２００ａが押された状態で電子署名の入力動作が特定の位置で実行される場合に、特定の位置に対する座標値をインタラプション情報として検出し、この検出されたインタラプション情報が電子署名に関する追加の認証情報として電子署名情報に挿入された後にメモリ１３０に記憶されるように制御する。
【００３３】
この時に、この特定の位置に対する座標値は、電子ペン２００のボタン２００ａが押された状態で電子署名のための入力動作が開始される位置から終了する位置までの座標値を含み、特定の位置の個数は、１つ又はそれ以上であってもよい。
【００３４】
また、本発明の第２の実施形態によると、制御部１１０は、電子署名セキュリティ登録モードの間に電子ペン２００を用いて電子署名のための入力動作が実行された後に、ボタン２００ａが押された電子ペン２００を用いて電子署名がすでに入力された特定の位置で再入力動作が発生する場合に、この再入力動作が発生した特定の位置に対する座標値をインタラプション情報として検出し、この検出されたインタラプション情報が電子署名に関する追加の認証情報として電子署名情報に挿入された後にメモリ１３０に記憶されるように制御する。
【００３５】
この時に、この特定の位置に対する座標値は、電子ペン２００のボタン２００ａが押された状態で電子署名のための入力動作が開始される位置から終了する位置までのボタンインタラプション座標値に対応し、特定の位置の個数は、１つ又はそれ以上であってもよい。
【００３６】
さらに、本発明の第３の実施形態によると、制御部１１０は、電子署名セキュリティ登録モードの間に電子ペン２００を用いて電子署名のための入力動作が実行された後に電子ペン２００のボタン２００ａのプッシュ動作が発生される場合に、ボタンが押される回数、又はボタンが押される時間、又はボタンが押される回数とボタンが押される時間とが組み合せられたボタンのプッシュパターンをインタラプション情報として検出し、その後に、この検出されたインタラプション情報が電子署名に関する追加の認証情報として電子署名情報に挿入された後にメモリ１３０に記憶されるように制御する。
【００３７】
この時に、電子ペン２００のボタンは、電子ペン２００がディスプレイ１６０の特定の地点をタッチする状態又はディスプレイ１６０をタッチすることなくディスプレイ１６０から所定の範囲内に位置する状態で押されてもよい。
【００３８】
電子ペン２００がディスプレイ１６０をタッチしない状態、すなわち、電子ペン２００が所定の範囲（例えば、１ｃｍ）内に位置する状態で、電子ペン２００のボタン２００ａが押される場合に、制御部１１０は、ボタン２００ａが押される度に発生される特定の周波数を受信することにより、ボタン２００ａが押される回数及びボタン２００ａが押される時間を判定することができる。
【００３９】
また、本発明の実施形態によると、電子署名がセキュリティ機能として設定される場合において、電子署名の要請に従って電子署名が入力される時に、制御部１１０は、この入力された電子署名に関する情報をメモリに記憶された電子署名に関する情報と比較する。この入力された電子署名情報、この記憶された電子署名情報、及びインタラプション情報がすべて一致する場合に、制御部１１０は、入力された電子署名に対する認証に成功した後に対応する機能を実行するように制御する。
【００４０】
さらに、本発明の実施形態によると、制御部１１０は パターンセキュリティ登録モードにおいて、電子ペンを用いて複数の地点の中の所定数の地点を接続するためのパターン入力動作を実行する間に、電子ペンのボタンが押される状態で特定の地点に対するパターン入力動作が実行される場合に、この特定の地点に対する座標値がインタラプション情報として検出され、この検出されたインタラプション情報を含むパターン情報がメモリ１３０に保存されるように制御する。
【００４１】
さらにまた、本発明の実施形態によると、制御部１１０は、セキュリティ機能がパターンとして設定される場合において、パターン入力の要請に従ってパターンが入力される時に、この入力されたパターンに関する情報を予め記憶されているパターンに関する情報と比較する。この入力されたパターン情報、この記憶されたパターン情報、及びインタラプション情報がすべて一致する場合に、制御部１１０は、入力されたパターンに対する認証に成功した後に対応する機能が実行されるように制御する。
【００４２】
また、本発明の実施形態によると、制御部１１０は、パスワードセキュリティ登録モードにおいて、パスワードの入力のために電子ペンを用いてキーパッドの所定のキーが入力される間に、この電子ペンのボタンが押された状態で特定のキーが入力される場合に、この入力された特定のキー値をインタラプション情報として検出し、この検出されたインタラプション情報を含むパスワード情報がメモリ１３０に記憶されるように制御する。
【００４３】
また、本発明の実施形態によると、制御部１１０は、パスワードがセキュリティ機能として設定される場合において、パスワード入力の要請に従ってパスワードが入力される時に、この入力されたパスワード情報を予め記憶されているパスワード情報と比較する。この入力されたパスワード情報、この記憶されたパターン情報、及びインタラプション情報がすべて一致する場合に、制御部１１０は、入力されたパターンに対する認証に成功した後に対応する機能が実行されるように制御する。
【００４４】
カメラ部１４０は、画像データを光学的に撮影し、この撮影された光信号を電気信号に変換するカメラセンサと、カメラセンサから撮影されるアナログ画像信号をディジタルデータに変換する信号処理部とを含む。ここで、カメラセンサは、電荷結合素子（Charge-Coupled Device、ＣＣＤ）又は相補型金属酸化物半導体（Complementary Metal Oxide Semiconductor、ＣＭＯＳ）センサと仮定し、信号処理部は、ディジタル信号処理部（Digital Signal Processor、ＤＳＰ）により実現することができる。カメラセンサ及び信号処理部は、一体型又は分離型で実現することができる。
【００４５】
画像処理部１５０は、カメラ部１４０から出力される画像信号をディスプレイ１６０上に表示するためのイメージ信号プロセッシング（Image Signal Processing、ＩＳＰ）を実行し、ＩＳＰは、ガンマ補正、補間、空間的変化、イメージ効果、イメージスケーリング、自動ホワイトバランス（Automatic White Balance、ＡＷＢ）、自動露出（Automatic Exposure、ＡＥ）、及び自動焦点（Automatic Focusing、ＡＦ）のような機能を実行する。したがって、画像処理部１５０は、カメラ部１４０から出力される画像信号をフレーム単位で処理し、フレーム単位の画像データをディスプレイ１６０の特性及びサイズに従って出力する。画像処理部１５０は、ビデオコーデック（video codec）を含み、ディスプレイ１６０上に表示されるフレーム画像データを予め設定されているコーディング（coding）で圧縮し、圧縮されたフレーム画像データを元来のフレーム画像データに復元する。ここで、ビデオコーデックは、ＪＰＥＧコーデック、ＭＰＥＧ４コーデック、ウェーブレット（Wavelet）コーデックなどを含むことができる。画像処理部１５０がオンスクリーンディスプレイ（On-Screen Display、ＯＳＤ）機能を含むと仮定すると、制御部１１０は、データが表示される画面のサイズに従ってＯＳＤデータを出力するように画像処理部１５０を制御することができる。
【００４６】
ディスプレイ１６０は、画像処理部１５０から出力される画像信号及び制御部１１０から出力されるユーザデータを画面上に表示する。ここで、ディスプレイ１６０は、液晶ディスプレイ（ＬＣＤ）で具現することができる。この場合、ディスプレイ１６０は、ＬＣＤ制御部、画像データを保存することができるメモリ、及びＬＣＤ表示素子を含むことができる。ここで、ＬＣＤをタッチスクリーンタイプで実現する場合に、ＬＣＤパネルは、入力部として機能できる。この時に、ディスプレイ１６０は、キー入力部１２７のようなキーを表示できる。
【００４７】
また、ディスプレイ１６０がタッチスクリーンタイプで具現されることにより、タッチスクリーン部として使用される場合に、タッチスクリーン部は、複数のセンサパネルを含むタッチスクリーンパネル（Touch Screen Panel、ＴＳＰ）で構成され、複数のセンサパネルは、指先でタッチを認識することができる静電式センサパネル及びタッチペンによる精細タッチを感知することができる電磁誘導センサパネルを含むことができる。
【００４８】
上記のような端末機でセキュリティ機能に対する登録動作及び認証動作について図３乃至図１０を参照して詳細に説明する。
【００４９】
図３は、本発明の第１の実施形態による端末機における電子署名登録過程を示すフローチャートである。
【００５０】
図１乃至図３を参照すると、セキュリティ登録モードであるステップ３０１において、電子署名登録がセキュリティ機能として選択される場合に、制御部１１０は、ステップ３０２において、この選択を感知し、登録のための電子署名入力を要請する。
【００５１】
ステップ３０３において、電子署名のための入力動作が電子ペン２００を用いてディスプレイ１６０で実行される間に、電子ペン２００のボタン２００ａが押される場合に、制御部１１０は、ステップ３０４において、ボタン２００ａのプッシュを感知し、ステップ３０５において、ボタン２００ａが押された状態で電子ペン２００を用いて入力された特定の位置に対する座標値を個別のインタラプション情報として検出する。
【００５２】
ボタン２００ａが押される状態で電子ペン２００を用いて電子署名のための入力動作が開始される場合に、ステップ３０５において、制御部１１０は、ボタン２００ａが押された電子ペン２００を用いて電子署名のための入力動作が開始された位置から終了した位置までの座標値をインタラプション情報として検出する動作を実行する。
【００５３】
ステップ３０４及びステップ３０５を介して、ボタン２００ａのプッシュなしに電子ペン２００を用いて登録のための電子署名入力動作を実行する間に、ユーザは、所望する位置で電子ペン２００のボタン２００ａが押された状態で電子署名に対する入力動作を実行できる。
【００５４】
したがって、制御部１１０は、電子ペン２００のボタン２００ａが押された状態で入力された電子署名の座標値を個別のインタラプション情報として検出し、この検出されたインタラプション情報を追加の電子署名情報として記憶することにより、電子署名を認証する将来の過程においてインタラプション情報を用いて追加で電子署名を認証できる。
【００５５】
一般的に、電子署名は、反復的な練習を通して他人により偽造されることがあるが、上記のようなインタラプション情報は、電子署名を入力する人のみにより認識されることができるので、電子署名の信頼度を向上させることができる。
【００５６】
電子署名がステップ３０４及びステップ３０５の反復された実行を通して入力され、電子署名登録完了が選択される場合に、制御部１１０は、ステップ３０６において、これを感知し、ユーザにより入力された電子署名の元来のイメージ、基本認証情報、及びインタラプション情報を含む電子署名情報をメモリ１３０に記憶するステップ３０７に進む。
【００５７】
基本認証情報は、電子署名が入力された座標値、特徴点、電子署名を入力する速度、電子署名の入力に対する筆圧感を含むことができる。この特徴点は、ラインが入力された電子署名で急激に変わる特定の部分に関する情報を示す。
【００５８】
図４は、本発明の第２の実施形態による端末機で電子署名登録過程を示すフローチャートである。
【００５９】
図１、図２、及び図４を参照すると、セキュリティ登録モードであるステップ４０１において、電子署名登録がセキュリティ機能として選択される場合に、制御部１１０は、ステップ４０２において、これを感知し、電子署名を登録するための電子署名の入力を要請する。
【００６０】
ステップ４０３において、電子署名のための入力動作が電子ペン２００を用いてディスプレイ１６０で実行された後に、すでに入力されている電子署名の特定の位置でボタン２００ａが押された電子ペン２００を用いて再入力動作が実行される場合に、制御部１１０は、ステップ４０４において、これを感知し、ステップ４０５において、ボタン２００ａが押された状態で電子ペン２００を用いて再入力動作が実行された特定の位置の座標値を個別のインタラプション情報として検出する。
【００６１】
ステップ４０５において、制御部１１０は、ボタン２００ａが押された電子ペン２００を用いて、すでに入力されている電子署名の特定の位置で実行された再入力動作が開始される位置から終了する位置までのボタンインタラプション座標値をインタラプション情報として検出する動作を実行する。
【００６２】
ステップ４０４及びステップ４０５を通して、ユーザは、ボタン２００ａを押すことなしに電子ペン２００を用いて登録のための電子署名の入力動作を実行した後に、すでに入力されている電子署名の中で所望する特定の位置で電子ペン２００のボタン２００ａを押した状態で電子署名の再入力動作を実行する。
【００６３】
したがって、制御部１１０は、電子ペン２００のボタン２００ａが押された状態で再入力された電子署名の座標値を個別のインタラプション情報として検出し、この検出されたインタラプション情報を追加の電子署名情報として記憶することにより、電子署名を認証する将来の過程でインタラプション情報を用いて追加で電子署名を認証できる。
【００６４】
ステップ４０４及びステップ４０５の反復実行を通して電子署名が入力され、電子署名登録完了が選択される場合に、制御部１１０は、ステップ４０６においてこれを感知し、ユーザにより入力された電子署名の元来のイメージ、基本認証情報、及びインタラプション情報を含む電子署名情報をメモリ１３０に記憶するステップ４０７に進む。
【００６５】
基本認証情報は、電子署名が入力された座標値、特徴点、電子署名を入力する速度、電子署名の入力に対する筆圧感を含むことができる。この特徴点は、ラインが入力された電子署名で急激に変わる特定の部分に関する情報を示す。
【００６６】
図５は、本発明の第３の実施形態による端末機で電子署名登録過程を示すフローチャートである。
【００６７】
図１、図２、及び図５を参照すると、セキュリティ登録モードであるステップ５０１において、電子署名登録がセキュリティ機能として選択される場合に、制御部１１０は、ステップ５０２において、これを感知し、電子署名を登録するための電子署名の入力を要請する。
【００６８】
ステップ５０３において、電子ペン２００を用いてディスプレイ１６０で電子署名のための入力動作が実行された後に、ディスプレイ１６０の特定の地点がタッチされる状態で、又はディスプレイ１６０をタッチすることなしにディスプレイ１６０から所定の距離内に位置した状態で電子ペン２００のボタン２００ａが押さえる場合に、制御部１１０は、ステップ５０４において、これを感知し、所定の時間の間に発生されるボタンが押される回数又はボタンが押される時間をチェックする。
【００６９】
制御部１１０は、所定の時間の間に発生されるボタンが押される回数、ボタンが押される時間、又はボタンが押される回数とボタンが押される時間とを組み合せることにより発生したボタンのパターン情報を個別のインタラプション情報として検出するステップ５０５を実行する。
【００７０】
ステップ５０４及びステップ５０５を通して、ユーザは、電子ペン２００を用いて登録のための電子署名の入力動作を実行した後に、電子ペンがディスプレイ１６０の特定の地点をタッチした状態で又はディスプレイ１６０から所定の距離内に電子ペンが位置する状態で、ボタンが押される回数、ボタンが押される時間、又はプッシュパターンに従ってボタン２００ａのプッシュを発生させる。
【００７１】
したがって、制御部１１０は、電子署名の入力動作の後に発生されたボタン２００ａが押される回数、ボタンが押される時間、又はプッシュパターンを個別のインタラプション情報として検出し、この検出されたインタラプション情報を追加の電子署名情報として記憶することにより、電子署名を認証する将来の過程でインタラプション情報を用いて追加で電子署名を認証できる。
【００７２】
本発明の第３の実施形態では、この発生されたインタラプション情報が電子署名の入力動作の後に検出されることを例に挙げて説明したが、この発生されたインタラプション情報の検出の後に電子署名の入力動作を実行できる。
【００７３】
ステップ５０４及びステップ５０５の反復実行を通して電子署名が入力され、電子署名登録完了が選択される場合に、制御部１１０は、ステップ５０６においてこれを感知し、ユーザにより入力された電子署名の元来のイメージ、基本認証情報、及びインタラプション情報を含む電子署名情報をメモリ１３０に記憶するステップ５０７に進む。
【００７４】
基本認証情報は、電子署名が入力された座標値、特徴点、電子署名を入力する速度、電子署名の入力に対する筆圧感を含むことができる。この特徴点は、ラインが入力された電子署名で急激に変わる特定の部分に関する情報を示す。
【００７５】
図６は、本発明の実施形態による端末機における電子署名登録動作を説明するための図であり、図３及び図４を参照して説明された電子署名登録動作を示す。
【００７６】
図６を参照すると、電子署名が端末機のセキュリティ登録メニューから選択される場合に、電子署名の入力のための個別のウインドウは、ディスプレイ１６０に表示され、電子署名が電子ペン２００を用いて個別のウインドウに入力される間に、特定の位置ａ１乃至ｂ１でボタン２００ａが押された電子ペン２００を用いて電子署名のための入力を実行できる。
【００７７】
あるいは、電子署名の入力がすでに完了した後に、電子署名のための再入力は、ボタン２００ａが押された電子ペン２００を用いて特定の位置ａ１乃至ｂ１で実行されることができる。
【００７８】
したがって、特定の位置ａ１乃至ｂ１で発生されたボタンインタラプション座標値は、インタラプション情報として電子署名情報に追加で記憶されることができる。
【００７９】
図３乃至図５を通して電子署名に対する登録が完了し、電子署名がセキュリティとして設定される状態での電子署名認証動作については、図７を参照して説明する。
【００８０】
図７は、本発明の実施形態による端末機における電子署名認証過程を示すフローチャートである。
【００８１】
図１、図２、及び図７を参照すると、電子署名がセキュリティ機能として設定された端末機でユーザにより対応する機能の実行が要請される場合に、制御部１１０は、この要請を感知し、電子署名の入力を要請するステップ７０１を実行する。
【００８２】
ユーザが電子ペン２００を用いて入力要請に従って電子署名を入力する場合に、制御部１１０は、ステップ７０２において、この入力を感知し、この入力された電子署名に関する電子署名情報を検出し、この検出された電子署名情報をメモリ１３０に記憶された電子署名情報と比較するステップ７０３を実行する。
【００８３】
制御部１１０は、ステップ７０３において、電子署名のイメージ、基本認証情報、及びインタラプション情報が相互に一致するか否かを判定する。
【００８４】
この判定の結果として、この検出された電子署名情報がメモリ１３０に記憶された電子署名情報と一致する場合に、制御部１１０は、ステップ７０４においてこれを感知し、電子署名の認証の成功に従って対応する機能を実行するステップ７０５を実行する。
【００８５】
しかしながら、この判定の結果として、この検出された電子署名情報がメモリ１３０に記憶された電子署名情報と一致しない場合に、制御部１１０は、ステップ７０４において、これを感知し、電子署名の認証の失敗に従って電子署名の再入力を要請するステップ７０６を実行する。
【００８６】
本発明の様々な実施形態に従って、ステップ７０３の間に要求される正確性を多様化できる。例えば、ステップ７０４で必要とする対応の程度は、厳格なセキュリティ又は寛大なセキュリティを提供するために変更されることができる。厳格モードにおいて、ステップ７０２での入力される署名（インタラプション）は、１％未満の差により可能であるが、より厳しくないモードでは、１０％だけの差により可能であり得る。
【００８７】
図８Ａ及び図８Ｂは、本発明の実施形態による端末機におけるパターン登録過程又はパスワード登録過程を示すフローチャートである。
【００８８】
図１、図２、８Ａ、及び図８Ｂを参照すると、セキュリティ登録モードであるステップ８０１において、パターン登録がセキュリティ機能として選択される場合に、制御部１１０は、ステップ８０２において、この選択を感知し、複数の地点をディスプレイ１６０に表示しつつ、セキュリティ登録のためのパターン入力を要請する。
【００８９】
ステップ８０３において、ディスプレイ１６０に表示された複数の地点の中の所定数の地点を接続するパターン入力動作が電子ペン２００を用いて実行されている間に、電子ペン２００のボタン２００ａが押される場合に、制御部１１０は、ステップ８０４において、ボタン２００ａのプッシュを感知し、ボタン２００ａが押された状態で電子ペン２００により入力された特定の地点の座標値を個別のインタラプション情報として検出するステップ８０５を実行する。
【００９０】
ステップ８０５において、ボタン２００ａが押された状態で電子ペン２００を用いて特定の地点に対する入力動作が開始される場合に、制御部１１０は、入力動作が開始された位置から終了した位置までのボタンインタラプション座標値をインタラプション情報として検出する動作を実行する。
【００９１】
ステップ８０４及びステップ８０５を通して、ユーザが複数の地点の中でパターンとして登録される所定数の地点を電子ペンを用いて接続することによりこの入力を実行する場合に、ユーザは、ボタン２００ａが押された状態の電子ペン２００を用いて所定数の地点の中で特定の地点を接続することによりこの入力を実行することができる。
【００９２】
したがって、制御部１１０は、電子ペン２００のボタン２００ａが押された状態で入力された特定の地点の座標値を個別のインタラプション情報として検出し、この検出されたインタラプション情報を追加のパターン情報として保存することにより、将来のパターンを認証する過程でインタラプション情報を用いて追加でパターン認証を実行することができる。
【００９３】
一般的に、パターン認証は、ユーザのパターン入力動作を通して他人により露出するおそれがあるが、上記のようなインタラプション情報は、パターンを入力する人のみにより認識されることができるので、パターンセキュリティの信頼度を向上させることができる。
【００９４】
このパターンがステップ８０４及びステップ８０５を通して入力され、パターン登録完了が選択される場合に、制御部１１０は、ステップ８０６において、この完了を感知し、ユーザにより入力されたパターンタイプ及びインタラプション情報を含むパターン情報をメモリ１３０に記憶するステップ８０７を実行する。
【００９５】
あるいは、セキュリティ登録モードであるステップ８０１において、パスワード登録がセキュリティ機能として選択される場合に、制御部１１０は、ステップ８０８においてこの登録を感知し、このセキュリティ登録のためのパスワードの入力を要請する。
【００９６】
ステップ８０９において、ディスプレイ１６０の一部の領域に表示されるキーパッドに備えられた複数のキーの中で所望するパスワードに対応するキーの入力動作が電子ペン２００を用いて実行される間に電子ペン２００のボタン２００ａが押される場合に、制御部１１０は、ステップ８１０において、ボタン２００ａのプッシュを感知し、ボタン２００ａが押される状態で電子ペンにより入力された少なくとも１つの特定のキー値を個別のインタラプション情報として検出するステップ８１１を実行する。
【００９７】
ステップ８０９及びステップ８１０を通して、ユーザがセキュリティ機能として登録されるパスワードを入力するために電子ペン２００を用いてキーパッドに配置されたキーを入力する場合に、ユーザは、電子ペン２００のボタン２００ａが押された状態でパスワードの中の所望する特定の番号に対応するキーを入力できる。
【００９８】
したがって、制御部１１０は、電子ペン２００のボタン２００ａが押された状態で入力された特定のキー値を個別のインタラプション情報として検出し、この検出されたインタラプション情報を追加のパスワード情報として保存することにより、将来のパスワードを認証する過程でインタラプション情報を用いて追加でパスワード認証を実行することができる。
【００９９】
一般的に、パスワード認証は、ユーザによるパスワード入力動作又はパスワード入力のためにキーパッドへのキー入力を見ることができる他人に露出するおそれがあるが、上記のようなインタラプション情報は、パスワードを入力する人のみにより認識できるので、パスワードセキュリティの信頼度を向上させることができる。
【０１００】
ステップ８０９及びステップ８１０を通してパスワードが入力され、パスワード登録完了が選択される場合に、制御部１１０は、ステップ８１２において、この完了を感知し、ユーザにより入力されたパスワード及びインタラプション情報を含むパスワード情報をメモリ１３０に記憶するステップ８１３を実行する。
【０１０１】
図８Ａ及び図８Ｂでは、電子ペンを用いてパターン又はパスワードを入力する間に特定の地点又は特定のキーに対してボタンが押された状態の電子ペンを使用する入力動作を例に挙げて説明しているが、パターン又はパスワードの入力が電子ペンを用いて完了した後に、登録されたパターンタイプの中の特定の地点又は登録されたパスワードの中の特定の番号に対応するキーに対してボタンが押された状態の電子ペンを用いて再入力動作を実行することによりインタラプション情報を検出できる。
【０１０２】
図９Ａ及び図９Ｂは、本発明の実施形態による端末機におけるパターン登録動作又はパスワード登録動作を説明するための図であり、図８Ａ及び図８Ｂで説明されたパターン登録動作又はパスワード登録動作を示す。
【０１０３】
まず、図９Ａを参照すると、パターン登録が端末機のセキュリティ登録メニューから選択される場合に、パターン入力のための複数の地点は、ディスプレイ１６０に表示される。また、セキュリティ機能として登録されるパターンは、電子ペン２００を用いてこの複数の地点で入力され、このパターン入力は、このパターンが入力される間にボタン２００ａが押された電子ペン２００を用いて特定の地点ａ２乃至ｂ２で実行されることができる。したがって、特定の地点ａ２乃至ｂ２で発生されたボタンインタラプション座標値は、インタラプション情報としてパターン情報に追加で記憶されることができる。
【０１０４】
さらに、図９Ｂを参照すると、パスワード登録が端末機のセキュリティ登録メニューから選択される場合に、パスワードを表示するための個別のウインドウ及びパスワードを入力するためのキーパッドがディスプレイ１６０に表示される。また、セキュリティとして登録されるパスワードに対応するキーは、電子ペン２００を用いてキーパッドに入力され、特定のキー“６”は、パスワードに対応するキーが入力される間にボタン２００ａが押された電子ペン２００により入力されることができる。したがって、特定のキー“６”の値は、インタラプション情報としてパスワード情報に追加で保存されることができる。
【０１０５】
パターン又はパスワードに対する登録が図８Ａ及び図８Ｂを通して完了し、パターン又はパスワードがセキュリティとして設定された状態でパターン認証動作及びパスワード認証動作について図１０Ａ及び図１０Ｂを参照して説明する。
【０１０６】
図１０Ａ及び図１０Ｂは、本発明の実施形態による端末機におけるパターン認証過程又はパスワード認証過程を示すフローチャートである。
【０１０７】
図１、図２、図１０Ａ、及び図１０Ｂを参照すると、対応する機能の実行がユーザにより要請される場合において、端末機のセキュリティがパターンにより設定される時に、制御部１１０は、ステップ１００１でこの設定を感知し、このパターンの入力をユーザに要請する。
【０１０８】
ユーザが電子ペン２００を用いてパターン入力の要請に従ってパターンを入力する場合に、制御部１１０は、ステップ１００２においてこの入力を感知し、この入力されたパターンに関するパターン情報を検出し、この検出されたパターン情報をメモリ１３０に記憶されたパターン情報と比較するステップ１００３を実行する。
【０１０９】
ステップ１００３において、制御部１１０は、パターンタイプと、このパターンタイプの中で、特定の地点が、ボタン２００ａが押された電子ペン２００により入力されるか否かを分かるインタラプション情報と一致するか否かを判定する。
【０１１０】
この判定の結果として、この検出されたパターン情報がメモリ１３０に記憶されたパターン情報とすべて一致する場合に、制御部１１０は、ステップ１００４において、この一致を感知し、パターン認証の成功に従って対応する機能を実行するステップ１００５を実行する。
【０１１１】
しかしながら、この判定の結果として、この検出されたパターン情報がメモリ１３０に記憶されたパターン情報と一致しない場合に、制御部１１０は、ステップ１００４において、不一致を感知し、パターン認証の失敗に従ってパターンの再入力を要請するステップ１００６を実行する。
【０１１２】
対応する機能実行がユーザにより要請される場合において、端末機のセキュリティがパスワードにより設定される時に、制御部１１０は、ステップ１００７においてこの設定を感知し、パスワードの入力をユーザに要請する。
【０１１３】
ユーザが電子ペン２００を用いてパスワード入力の要請に従ってディスプレイ１６０に表示されるキーパッドのキーを入力する場合に、制御部１１０は、ステップ１００８においてこの入力を感知し、この入力されたパスワードに関するパスワード情報を検出し、この検出されたパスワード情報をメモリ１３０に記憶されたパスワード情報と比較するステップ１００９を実行する。
【０１１４】
ステップ１００９において、制御部１１０は、このパスワードと、このパスワードの中で、特定の番号に対応する特定のキーが、ボタン２００ａが押された電子ペン２００により入力されるか否かを分かるインタラプション情報と一致するか否かを判定する。
【０１１５】
この判定の結果として、この検出されたパスワード情報がメモリ１３０に記憶されたパスワード情報と一致する場合に、制御部１１０は、ステップ１０１０においてこの一致を感知し、パスワード認証の成功に従って対応する機能を実行するステップ１００５を実行する。
【０１１６】
しかしながら、この判定の結果として、この検出されたパスワード情報がメモリ１３０に記憶されたパスワード情報と一致しない場合に、制御部１１０は、ステップ１０１０において、この不一致を感知し、パスワード認証の失敗に従ってパスワードの再入力を要請するステップ１０１１を実行する。
【０１１７】
本発明の実施形態では、電子ペンに配置されたボタンのプッシュに従って検出されたインタラプション情報が追加の認証情報として使用されることを例に挙げて説明したが、キー入力部に配置された所定のキーのプッシュは、追加の認証情報として同様に使用してもよい。
【０１１８】
本発明による上述した方法は、ＣＤ  ＲＯＭ、ＲＡＭ、フロッピー（登録商標）ディスク、ハードディスク、又は光磁気ディスク、或いはネットワークを介してダウンロードされるような記録媒体に格納することができるハードウェア、ファームウェア、ソフトウェア、又はコンピュータコードで具現することができ、これにより、ここで説明した方法は、ＡＳＩＣ又はＦＰＧＡのような一般的な用途のコンピュータ、又は特定のプロセッサ、或いはプログラム可能な又は指示されたハードウェアを用いるソフトウェアにより実行することができる。当該技術分野で理解されるように、コンピュータ、プロセッサ、又はプログラム可能なハードウェアには、メモリ構成要素、例えば、ＲＡＭ、ＲＯＭ、フラッシュメモリなどが含まれ、コンピュータ、プロセッサ、又はハードウェアによりアクセスされて実行される際に、ここで説明した処理方法が具現される。また、一般的な用途のコンピュータがここで説明した処理を実行するためのコードにアクセスする時、コードの実行は、一般的な用途のコンピュータをここで説明した処理を実行するための特殊な用途のコンピュータに代えることができる。
【０１１９】
本発明の実施形態では、制御部１１０と、端末機１００と、端末機１００に組み込まれた他の機能的な構成要素だけが開示されているが、１つ又はそれ以上の機能的な構成要素、例えば、データ処理部１２０、メモリ１３０、及びオーディオ処理部１２５がペン２００に統合されることができる。また、ここで使用されている署名は、一般的に人の名前であると理解されることができるが、任意のマーク、絵（drawing）、挿話（illustration）、パターン、又は表示（presentment）でもあり得る。ここで説明するような電子ペンは、制御部１１０により感知されることができる特定のポインティング装置でもあり得る。
【０１２０】
以上、本発明を具体的な実施形態を参照して詳細に説明してきたが、本発明の範囲及び趣旨を逸脱することなく様々な変更が可能であることは、当業者には明らかであり、本発明の範囲は、上述の実施形態に限定されるべきではなく、特許請求の範囲の記載及びこれと均等なものの範囲内で定められるべきである。
【符号の説明】
【０１２１】
１００  端末機
１１０    制御部
１２０  データ処理部
１２３  部
１２５  オーディオ処理部
１２７  キー入力部
１３０    メモリ
１４０  カメラ部
１５０  画像処理部
１６０    ディスプレイ
２００  電子ペン
２００  ペン
２００ａ  ボタン
【図１】
2014160465.tif 000003
【図２】
2014160465.tif 000004
【図３】
2014160465.tif 000005
【図４】
2014160465.tif 000006
【図５】
2014160465.tif 000007
【図６】
2014160465.tif 000008
【図７】
2014160465.tif 000009
【図８Ａ】
2014160465.tif 000010
【図８Ｂ】
2014160465.tif 000011
【図９Ａ】
2014160465.tif 000012
【図９Ｂ】
2014160465.tif 000013
【図１０Ａ】
2014160465.tif 000014
【図１０Ｂ】
2014160465.tif 000015